(57)【特許請求の範囲】
【請求項１】
交流電圧の力率を補償する力率補償回路において、
前記交流電圧のノイズを除去する交流ノイズ除去部と、
前記ノイズ除去された交流電圧を整流して整流された電圧を生成する整流部と、
前記整流された電圧を力率補償し、力率補償された電圧を生成する力率補償部と、
前記力率補償された電圧を平滑化し、平滑化された電圧を生成する平滑部と、
交流電圧によって生成される突入電流を制限して、制限された電流を前記力率補償部に提供する突入電流制限部と、
前記整流部と前記突入電流制限部を制御する電流制御信号を生成する電流制御信号生成部と、を含み、
前記電流制御信号生成部は、前記平滑化された電圧の電圧値が基準電圧値以上である場合、前記力率補償回路が正常状態であると判断して、前記制限された電流の前記力率補償部への提供を中断するよう前記突入電流制限部を制御し、
前記電流制御信号生成部は、前記平滑化された電圧の電圧値が前記基準電圧値より低い場合、前記力率補償回路が過渡状態であると判断して、前記整流された電圧の生成を中断するよう前記整流部を制御する、力率補償回路。
【請求項２】
前記突入電流制限部はシリコーン制御整流素子を含み、
前記整流部はシリコーン制御整流素子を含む、請求項１に記載の力率補償回路。
【請求項３】
前記電流制御信号生成部は、
前記力率補償回路が正常状態である場合、制御信号を生成して前記突入電流制限部内のシリコーン制御整流素子をターンオフし、前記整流部内のシリコーン制御整流素子をターンオンする、請求項２に記載の力率補償回路。
【請求項４】
前記電流制御信号生成部は、
前記力率補償回路が過渡状態である場合、制御信号を生成して前記突入電流制限部内のシリコーン制御整流素子をターンオンし、前記整流部内のシリコーン制御整流素子をターンオフする、請求項２に記載の力率補償回路。
【請求項５】
力率補償回路において、
交流ノイズ除去用キャパシタと、
複数のブリッジダイオードと、
前記複数のブリッジダイオードの出力端子に連結された入力端子を含む力率補償部と、
前記力率補償部の出力端子に連結される一端を含む平滑キャパシタと、
交流電圧が印加される一端を有するスイッチと、
前記スイッチの他端に連結される一端を有するダイオードと、
前記ダイオードの他端に連結される一端を有する抵抗と、
前記平滑キャパシタの一端に印加される電圧値に基づいて電流制御信号を生成する電流制御信号生成部と、を含み、
前記電流制御信号生成部は、前記平滑キャパシタの電圧値が基準電圧値以上である場合、前記力率補償回路が正常状態であると判断して、前記スイッチをターンオフし、前記抵抗に流れる電流を遮断し、
前記電流制御信号生成部は、前記平滑キャパシタの電圧値が前記基準電圧値より低い場合、前記力率補償回路が過渡状態であると判断して、前記スイッチをターンオンし、前記複数のブリッジダイオードのうち２つの上側ブリッジダイオードに流入される電流を遮断する、力率補償回路。
【請求項６】
交流電圧の力率を補償する力率補償回路の動作方法において、
前記力率補償回路が正常状態であるか、過渡状態であるかを判断するステップと、
前記力率補償回路が過渡状態であると判断された場合、交流電圧によって生成される突入電流を制限して制限された電流を生成するステップと、
前記力率補償回路が正常状態であると判断された場合、前記交流電圧のノイズを除去し、前記ノイズ除去された交流電圧を整流して整流された電圧を生成するステップと、
前記整流された電圧を力率補償し、力率補償された電圧を生成するステップと、
前記力率補償された電圧を平滑化し、平滑化された電圧を生成するステップと、
を含み、
前記力率補償回路が正常状態であるか、過渡状態であるかの判断は、前記平滑化された電圧の電圧値と基準電圧値とを比較して、前記平滑化された電圧値が、前記基準電圧値以上である場合に正常状態と判断し、前記基準電圧値より低い場合に過渡状態と判断する、動作方法。
【発明の詳細な説明】
【技術分野】
【０００１】
本発明は、交流電源の連結初期に発生する突入電流（ｉｎｒｕｓｈ  ｃｕｒｒｅｎｔ）を制限して回路素子を保護する力率補償回路に関するものである。
【背景技術】
【０００２】
交流回路では必ずしも電圧と電流の位相が同じではないため、電圧と電流の積が全て実際に使用可能な電力にはならない。電圧と電流の積と実際に使用可能な電力である有効電力の比を力率という。力率が小さければそれだけ送電電力の損失が生じるため、それを防止するための力率補償回路が各種電子製品に広範囲に使用されている。また、多くの国ではこのような力率補償回路の設置を義務化している。
【０００３】
電気自動車の充電式バッテリを充電するための充電装置にも力率補償回路が必要である。バッテリの初期充電の際に力率補償回路の平滑部のキャパシタは電荷が充電されていない状態であるため、突入電流が発生する。突入電流とは、配線線路や電気機器に電源を投入する瞬間、正常電流より高い電流が流れる過渡現象をいう。突入電流は電源の投入と同時に数倍又は数十倍に当たる電流が流れた後、徐々に減少して正常状態に達すると消える特性を示す。このような突入電流をそのまま流す場合、回路の素子の最大許容電流以上の電流が流入されて誤作動及び故障の原因になり得る。よって、突入電流を制限するための装置が必要である。
【発明の概要】
【発明が解決しようとする課題】
【０００４】
電気自動車の充電装置のように力率補償回路が使用される場合、交流電圧を印加した初期に発生する突入電流から回路内素子を保護する力率補償回路を提供する。
【課題を解決するための手段】
【０００５】
本発明の一実施例による交流電圧の力率を補償する力率補償回路は、過渡状態で前記交流電圧の整流を中断し、正常状態で前記交流電圧を整流して整流された電圧を生成する整流部と、前記整流された電圧を力率補償して力率補償された電圧を生成する力率補償部と、前記力率補償された電圧を平滑化して平滑化された電圧を生成する平滑部と、前記過渡状態では交流電圧によって生成される突入電流を制限して制限された電流を前記平滑部に提供し、前記正常状態では電流の提供を中断する突入電流制限部と、を含む。
【０００６】
本発明の一実施例による交流電圧の力率を補償する力率補償回路は、複数のブリッジダイオードと、前記複数のブリッジダイオードの出力端子に連結された入力端子を含む力率補償部と、前記力率補償部の出力端子に連結される一端を含む平滑キャパシタと、交流電圧が印加される一端を有するスイッチと、前記スイッチの他端に連結される一端を有するダイオードと、前記ダイオードの他端に連結される一端を有する抵抗と、過渡状態で前記スイッチをターンオンし、前記複数のブリッジダイオードのうち２つの上側ブリッジダイオードに流入される電流を遮断して前記抵抗の大きさが制限された電流を前記平滑キャパシタに提供する電流制御信号生成部と、を含む。
【０００７】
交流電圧を印加した初期に発生する突入電流から回路内素子を保護する力率補償回路を提供する。
【図面の簡単な説明】
【０００８】
【図１】本発明の一実施例による力率補償回路のブロック図である。
【図２】本発明の一実施例による力率補償回路の回路図である。
【図３】本発明の一実施例による力率補償回路の動作を示すフローチャートである。
【図４】本発明の他の実施例による力率補償回路のブロック図である。
【図５】本発明の他の実施例による力率補償回路の回路図である。
【図６】本発明の他の実施例による力率補償回路の動作を示すフローチャートである。
【図７】本発明のまた他の実施例による力率補償回路のブロック図である。
【図８】本発明のまた他の実施例による力率補償回路の回路図である。
【図９】本発明のまた他の実施例による力率補償回路の動作を示すフローチャートである。
【発明を実施するための形態】
【０００９】
以下、添付した図面を参照し、本発明の実施例に対して本発明の属する技術分野における通常の知識を有する者が容易に実施し得るように詳しく説明する。しかし、本発明は様々な相異なる形態に具現されてもよく、ここで説明する実施例に限定されることはない。そして、本発明を明確に説明するために説明と関係のない部分は図面から省略しており、明細書全体に渡って類似した部分に対しては類似した部面符号を付けている。
【００１０】
また、ある部分がある構成要素を「含む」という際、これは特に反対する記載がない限りある構成要素を除くのではなく、他の構成要素を更に含むということを意味する。
【００１１】
以下、図１乃至図３を参照して本発明の一実施例による力率補償回路を説明する。
【００１２】
図１は、本発明の一実施例による力率保証回路のブロック図である。
【００１３】
図１を参照すると、力率補償回路１００は交流電圧生成部１１０、突入電流制限部１２０、交流ノイズ制御部１３０、整流部１４０、力率補償部１５０、平滑部１６０、直流／直流コンバータ１７０、バッテリ１８０を含む。
【００１４】
力率補償部１５０は力率を補償する。
【００１５】
直流／直流コンバータ１７０は、平滑化された電圧を充電するために必要な電圧の大きさに変換する。
【００１６】
バッテリ１８０は変換された電圧で充電される。
【００１７】
力率補償回路１００の他の構成要素に対しては、図２を参照して詳しく説明する。
【００１８】
図２は、本発明の一実施例による力率補償回路の回路図である。
【００１９】
交流電圧生成部１１０は交流電圧を生成する。
【００２０】
突入電流制限部１２０は、負温度係数（Ｎｅｇａｔｉｖｅ  Ｔｅｍｐｅｒａｔｕｒｅ  Ｃｏｅｆｆｉｃｉｅｎｔ，ＮＴＣ）サーミスタＲｎ１を含む。負温度係数サーミスタは、交流電圧生成部１１０の一端で生成される交流電圧が印加される一端を有する。
【００２１】
負温度係数サーミスタとは、負の温度係数を有し、連続的に電気抵抗が変化するサーミスタをいう。回路に交流電圧が最初に供給されて突入電流が発生する場合、回路内の温度が低いため負温度係数サーミスタは大きい抵抗値を有する。よって、負温度係数サーミスタの抵抗値によって回路内部抵抗の大きさが増加するため、Ｖ＝ＩＲ（Ｖ：電圧、Ｉ：電流、Ｒ：抵抗）というオームの法則によると突入電圧の大きさは減少する。それによって、回路内素子を突入電流から保護することができる。また、回路が正常状態（ｓｔｅａｄｙ  ｓｔａｔｅ）に入ると回路内温度が上昇するため、負温度係数サーミスタは非常に小さい抵抗値を有する。よって、回路内等価抵抗の大きさは負温度係数サーミスタが連結されていない場合と大きい差はなく、正常状態では突入電流制限部１２０が力率補償回路の本来の機能に及ぼす影響が小さい。正常状態とは、過渡応答が消滅された後で究極的に達する安定状態である。
【００２２】
交流ノイズ除去部１３０はキャパシタＣ１１を含む。キャパシタの一端は負温度係数サーミスタの他端位連結され、他端は交流電圧生成部１１０の他端に連結される。交流ノイズ除去部１３０は交流電圧のノイズを除去する。
【００２３】
整流部１４０は複数のダイオードを含む。図２の一実施例では４つのダイオードを含む。４つのデイオードはブリッジ連結される。ブリッジ連結された４つのダイオードのうち、下側の左側ダイオードＤ１３の一端は交流ノイズ除去部１３０のキャパシタＣ１１の他端に連結され、他端は接地される。ブリッジ連結された４つのダイオードのうち、下側の右側ダイオードＤ１４の一端は交流ノイズ除去部１３０のキャパシタＣ１１の一端に連結され、他端は接地される。ブリッジ連結された４つのダイオードのうち、上側の左側ダイオードＤ１１の一端は交流ノイズ除去部１３０のキャパシタＣ１１の他端に連結され、他端は下側の左側のダイオードＤ１３の一端に連結される。ブリッジ連結された４つのダイオードのうち、上側の右側ダイオードＤ１２の一端は上側の左側のダイオードＤ１１の他端に連結され、他端は下側の右側のダイオードＤ１４の一端に連結される。整流部１４０はノイズが除去された交流電圧を全て同じ極性を有するように整流して出力する。
【００２４】
力率補償部１５０はインダクタＬ１、ＭＯＳＦＥＴスイッチＳＷ１、ダイオードＤ１５を含む。インダクタＬ１の一端は整流部１４０の上側の右側ダイオードＤ１２の一端に連結される。ＭＯＳＦＥＴスイッチＳＷ１の一端はインダクタＬ１の他端に連結され、他端は接地される。ダイオードＤ１５の一端はインダクタＬ１の他端に連結される。力率補償部１５０は整流された電圧を力率補償し、力率補償された電圧を生成する。力率補償部１５０は、詳しくはブーストコンバータであってもよい。ブーストコンバータは、整流された電圧の大きさを一定に維持しながら電流の移送を電圧の位相と同じくするためにスイッチングを繰り返す。即ち、電流が一定時間の間に流れるようにしてから一定時間遮断する方法を介し、電流の流れを調整する。このような動作を介し、電圧の位相と同じく電流の位相を作って力率を補償する。
【００２５】
平滑部１６０は一つのキャパシタＣ１２を含む。特に、キャパシタＣ１２は電解コンデンサであってもよい。キャパシタＣ１２の一端はダイオードＤ１５の他端に連結され、他端は接地される。一実施例において、平滑部１６０は複数のキャパシタを含む。複数のキャパシタそれぞれの一端はダイオードＤ１５の他端に連結され、他端は接地される。平滑部１６０は力率補償された電圧からリップルを除去し、直流電圧を生成する。即ち、平滑部１６０は力率補償された電圧を平滑化する。
【００２６】
このような実施例において、負温度係数サーミスタの温度が高くなると負温度係数サーミスタは小さい抵抗値を有する。但し、負温度係数サーミスタの抵抗値が完全になくなるのではないため、力率補償とは関係のない電力の損失が発生して力率補償回路の効率を落とす問題がある。
【００２７】
図３は、本発明の一実施例による力率補償回路の動作を示すフローチャートである。
【００２８】
交流電圧生成部１１０は交流電圧を生成する（Ｓ１０１）。
【００２９】
突入電流制限部１２０は、負温度係数サーミスタＲｎ１の温度に応じて突入電流を制限する（Ｓ１０３）。負温度係数サーミスタＲｎ１の抵抗値は温度に応じて変化する。よって、負温度係数サーミスタＲｎ１の抵抗値が大きい低い温度では突入電流が制限され、突入電流が発生する交流電圧印加初期には回路の温度が低いため突入電流が制限される。
【００３０】
交流ノイズ除去部１３０は交流のノイズを除去する（Ｓ１０５）。
【００３１】
整流部１４０はノイズが除去された交流電圧を整流し、整流された電圧を生成する（Ｓ１０７）。
【００３２】
力率補償部１５０は整流された電圧を力率補償し、力率補償された電圧を生成する（Ｓ１０９）。
【００３３】
平滑部１６０は力率補償された電圧を平滑化する（Ｓ１１１）。
【００３４】
以下、図４乃至図６を参照して本発明の他の実施例による力率補償回路を説明する。
【００３５】
図４は、本発明の他の実施例による力率補償回路のブロック図である。
【００３６】
力率補償回路２００は交流電圧生成部２１０、突入電流制限部２２０、交流ノイズ除去部２３０、整流部２４０、力率補償部２５０、平滑部２６０、直流／直流コンバータ２７０、バッテリ２８０、突入電流制限部制御信号生成部２９０を含む。突入電流制限部制御信号生成部２９０を含むことを除く他の構成は図１の実施例と全て同じである。
【００３７】
突入電流制限部制御信号生成部２９０は制御信号を生成し、突入電流制限部２２０内のスイッチを制御する。
【００３８】
力率補償回路２００の他の構成要素に対しては、図５を参照して詳しく説明する。
【００３９】
図５は、本発明の他の実施例による力率補償回路の回路図である。
【００４０】
図５の回路図は図２の回路図と他の部分は同じであるが突入電流制限部２２０の回路にその差があり、図４で説明したように突入電流制限部制御信号生成部２９０を更に含む。
【００４１】
図５の実施例では、突入電流制限部２２０はリレースイッチＳＷＲと負温度係数サーミスタＲｎ１を含む。負温度係数サーミスタは交流電圧が印加される一端を有し、他端は交流ノイズ除去部２３０のキャパシタＣ１１の一端に連結される。リレースイッチＳＷＲも同じく交流電圧が印加される一端を有し、他端は交流ノイズ除去部２３０のキャパシタＣ１１の一端に連結される。
【００４２】
リレースイッチＳＷＲは突入電流制限部制御信号によって制御される。交流電圧を印加した初期に突入電流が流れる場合、突入電流制限部制御信号生成部２９０はリレースイッチＳＷＲをターンオフして突入電流を制限する。回路が正常状態に達した場合、突入電流が発生する可能性がないため突入電流制限部制御信号生成部２９０はリレースイッチＳＷＲをターンオンして負温度係数サーミスタに電流が流入なれないようにする。この際、力率補償回路が正常状態に達したのか否かは、予め決められた基準時間の経過可否で判断する。力率補償回路２００の場合、数秒内に正常状態に達することが普通であるため基準時間は２秒乃至３秒にしてもよい。
【００４３】
図５の回路図の実施例による場合、リレースイッチＳＷＲが抵抗値を有しない理想的な状況を仮定すると、図２の実施例とは異なって回路が正常状態に入った場合に負温度係数サーミスタＲｎ１に電流が流入されず、電力損失が発生しないという問題が解決される。しかし、リレースイッチＳＷＲも自体抵抗成分を有する実際の回路ではりレースイッチＳＷＲがターンオンされても、負温度係数サーミスタＲｎ１に電流が一部流入されて電飾損失が発生する。このような電力損失を完璧に防止するためには、負温度係数サーミスタＲｎ１の一端にリレースイッチを更に一つを連結して回路が突入電流が流れる状態ではターンオンし、正常状態に入った場合にはリレースイッチをターンオフする。但し、このようにリレースイッチを追加する場合には追加的なコストがかかり、回路の容積が大きくなる問題が発生する。また、リレースイッチＳＷＲの場合には機械的に接点を作るためその寿命に制限がある。そして、リレースイッチＳＷＲは電力変換機などの高温の環境で動作する場合には動作及び寿命の信頼度が低い問題点もある。
【００４４】
図６は、本発明の他の実施例による力率補償回路の動作を示すフローチャートである。
【００４５】
交流電圧生成部２１０は交流電圧を生成する（Ｓ２０１）。
【００４６】
突入電流制限部制御信号生成部２９０は、力率補償回路２００が過渡状態（ｔｒａｎｓｉｅｎｔ  ｓｔａｔｅ）であるのかを判断する（Ｓ２０３）。過渡状態とは回路が過渡応答を示す状態であって、正常状態に入る前の状態をいう。
【００４７】
力率補償回路２００が過渡状態であれば、突入電流制限部制御信号生成部２９０は制御信号を生成して突入電流制限部２２０内のスイッチをターンオフする。
【００４８】
突入電流制限部２２０内のスイッチがターンオンされると、突入電流制御部２００は回路内の温度に応じて突入電流を制限する（Ｓ２０７）。
【００４９】
力率補償回路２００が正常状態であれば、突入電流制限部制御信号生成部２９０は制御信号を生成して突入電流制限部２２０内のスイッチをターンオフする（Ｓ２０９）。
【００５０】
交流ノイズ除去部２３０は交流のノイズを除去する（Ｓ２１１）。
【００５１】
整流部２４０はノイズが除去された交流電圧を整流し、整流された電圧を生成する（Ｓ２１３）。
【００５２】
力率補償部２５０は整流された電圧を力率補償し、力率補償された電圧を生成する（Ｓ２１５）。
【００５３】
平滑部２６０は力率補償された電圧を平滑化する（Ｓ２１７）。
【００５４】
以下、図７乃至図９を参照して本発明のまた他の実施例による力率補償回路及びその設計方法を説明する。
【００５５】
図７は、本発明のまた他の実施例による力率補償回路のブロック図である。
【００５６】
力率補償回路３００は交流電圧生成部３１０、突入電流制限部３２０、交流ノイズ除去部３３０、整流部３４０、力率補償部３５０、平滑部３６０、直流／直流コンバータ３７０、バッテリ３８０、電流制御信号生成部３９０を含む。
【００５７】
突入電流制限部３２０は過渡状態では交流電圧によって生成される突入電流を制限して制限された電流を平滑部３６０に提供し、正常状態では電流の提供を中断する。
【００５８】
整流部３４０は過渡状態で交流電圧の整流を中断し、正常状態で交流電圧を整流して整流された電圧を生成する。
【００５９】
電流制御信号生成部３９０は突入電流制限部３２０と整流部３４０を制御する信号を生成する。
【００６０】
力率補償回路３００他の構成要素に対しては、図８を参照して詳しく説明する。
【００６１】
図８は、本発明のまた他の実施例による力率補償回路の回路図である。
【００６２】
交流電圧生成部３１０は交流電圧を生成する。
【００６３】
突入電流制限部３２０はダイオード、スイッチ及び抵抗を含む。ダイオードは交流電圧が印加される一端を有する。スイッチはダイオードの他端に連結される。抵抗Ｒはスイッチの他端に連結される。
【００６４】
特に、ダイオードとスイッチはダイオードの機能をスイッチの機能を全て含むシリコーン制御整流素子（Ｓｉｌｉｃｏｎ  Ｃｏｎｔｒｏｌｌｅｄ  Ｒｅｃｔｉｆｉｅｒ，ＳＣＲ）ＳＤ３１に代替されてもよい。ダイオードとスイッチをシリコーン制御整流素子に代替する場合、回路に必要な素子のサイズが減少するため回路を小型化することができる。また、シリコーン制御整流素子は一般的なスイッチに比べ長寿命が保証されるため回路の寿命を延長することができる。また、ダイオードとシリコーン制御整流素子の価格は殆ど差がないため、別途のスイッチを使用する場合より回路の製作コストを減らすことができる。
【００６５】
回路が角状態である場合、即ち、シリコーン制御整流素子ＳＤ３１がターンオンされる場合、突入電流は突入電流制限部３２０に流入される。突入電流制限部３２０内に抵抗Ｒが存在するため、シリコーン制御整流素子ＳＤ３１がターンオフされている場合より力率保証回路内の全体内部抵抗値が増加する。よって、内部抵抗の大きさが増加するためＶ＝ＩＲ（Ｖ：電圧、Ｉ：電流、Ｒ：抵抗）というオームの法則によると電流の大きさが減り、突入電流が制限される。
【００６６】
回路が正常状態である場合、即ち、シリコーン制御整流素子ＳＤ３１がターンオフされる場合には突入電流制限部３２０に電流が流入されない。よって、図１乃至図６の実施例とは異なって正常状態で突入電流制御部３２０による電力損失が発生しない。また、本実施例による場合、回路が正常状態で動作していたのに外部的要因によって過電流が流れるようになった状況では整流素子ＳＤ３１を更にターンオフして回路を保護する。
【００６７】
交流ノイズ除去部３３０はキャパシタ（Ｃ３１）を含む。キャパシタの一端には交流電圧生成部３１０の一端で生成される交流電圧が印加され、他端は交流電圧生成部３１０の他端に連結される。交流ノイズ除去部３３０は交流のノイズを除去する。
【００６８】
整流部３４０は複数のダイオードと複数のスイッチを含む。図７の実施例では４つのダイオードと２つのスイッチを含む。複数のスイッチと複数のスイッチの一端に連結される複数の上側ダイオードは、シリコーン制御整流素子に代替されてもよい。
【００６９】
スイッチとダイオードを使用する場合よりシリコーン制御整流素子を使用する場合、上述したように一般的なスイッチとダイオードを使用する場合より回路を小型化することができ、相対的に長寿命を保証することができる。また、ダイオードとシリコーン制御整流素子の価格に殆ど差がないため、別途のスイッチを使用する場合より回路の製作コストを減らすことができる。
【００７０】
２つのダイオードＤ３３，Ｄ３４と２つのシリコーン制御整流素子ＳＤ３２，ＳＤ３３はブリッジ連結される。２つのダイオードのうち左側ダイオードＤ３３の一端は交流ノイズ除去部３３０のキャパシタＣ３１の一端に連結され、他端は接地される。２つのダイオードのうち右側ダイオードＤ３４の一端は交流ノイズ除去部３３０のキャパシタＣ３１の他端に連結され、他端は接地される。２つのシリコーン制御整流素子のうち左側のシリコーン制御整流素子ＳＤ３２の一端は突入電流制限部３２０の抵抗Ｒの他端に連結され、他端は左側のダイオードＤ３３の一端に連結される。２つのシリコーン制御整流素子のうち右側のシリコーン制御整流素子ＳＤ３３の一端は突入電流制限部３２０の抵抗Ｒの他端に連結され、他端は右側のダイオードＤ３４の一端に連結される。
【００７１】
過渡状態である場合、即ち、２つのシリコーン制御整流素子ＳＤ３２，ＳＤ３３がターンオフされる場合、整流部３４０に電流が流入されずに突入電流制限部３２０で力率補償部３５０に直接流入される。２つのシリコーン制御整流素子ＳＤ３２，ＳＤ３３がターンオンされる場合、整流部３４０に電流が流入される。
【００７２】
整流部３４０はノイズが除去された交流電圧を全て同じ極性を有するように整流し、整流された電圧を生成する。
【００７３】
力率補償部３５０はインダクタＬ１３、ＭＯＳＦＥＴスイッチＳＷ３、ダイオードＤ３５を含む。インダクタＬ３の一端は整流部２４０の右側のシリコーン制御整流素子の一端に連結される。ＭＯＳＦＥＴスイッチＳＷ３の一端はインダクタＬ３の他端に連結され、他端は接地される。ダイオードＤ３５の一端はインダクタＬ３の他端に連結される。力率補償部３５０は、詳しくはブーストコンバータであってもよい。ブーストコンバータは、整流された電圧の大きさを一定に維持しながら電流の位相を電圧の位相と同じくするためにスイッチングを繰り返す。即ち、電流が一定時間流れるようにしてから一定時間遮断する方法を介して電流の流れを調整する。このような動作を介し、電圧の位相と同じく電流の位相を作って力率を補償する。
【００７４】
平滑部３６０は一つのキャパシタＣ３２を含む。特に、キャパシタＣ３２は電解コンデンサであってもよい。キャパシタＣ３２の一端はダイオードＤ３５の他端に連結され、他端は接地される。一実施例において、平滑部３６０は複数のキャパシタを含む。複数のキャパシタそれぞれの一端はダイオードＤ３５の他端に連結され、他端は接地される。平滑部３６０は力率補償された電圧からリップルを除去して直流電圧を生成する。
【００７５】
図９は、本発明のまた他の実施例による力率補償回路の動作を示すフローチャートである。
【００７６】
交流電圧生成部３１０は交流電圧を生成する（Ｓ３０１）。
【００７７】
電流制御信号生成部３９０は、力率補償回路３００が過渡状態であるのかを判断する（Ｓ３０３）。力率補償回路３００が正常状態に達した場合、突入電流が発生する恐れがないためである。
【００７８】
特に、正常状態可否は図６の実施例のように交流電圧が印加された後から経過した時間で判断する。力率補償回路３００は交流電圧が印加されてから数秒以内に正常状態に達するため、正常状態の基準時間は２秒乃至３秒であってもよい。但し、このような方法を使用して正常状態を判断する場合、正常状態可否を精密に判断することができない。
【００７９】
力率補償回路が正常状態であるのか否かに対する精密な判断のために、力率補償回路の正常状態可否を平滑部３６０内のキャパシタＣ３２の一端に印加される電圧値に基づいて判断する。特に、キャパシタＣ３２に電荷が充電されてキャパシタＣ３２の一端に印加される電圧値が基準電圧以上であるのか否かで正常状態可否を判断する。キャパシタＣ３２に一定量以上の電荷が充電されると突入電流が発生しないためである。基準電圧値は交流電圧生成部３１０が生成する交流電圧の実効値（Ｒｏｏｔ  Ｍｅａｎ  Ｓｑｕａｒｅ，ＲＭＳ）の
【数１】
0005902741.tif 000002
倍であってもよい。
【００８０】
力率補償回路３００が過渡状態であれば、電流制御信号生成部３９０は制御信号を生成して突入電流制限部３２０に電流を流入する（Ｓ３０５）。即ち、電流制御信号生成部３９０は制御信号を生成して突入電流制限部３２０内のスイッチをターンオンし、整流部３４０内のスイッチをターンオフする。突入電流制限部３２０が連結されたため、突入電流は突入電流制限３２０に流入されて制限される。
【００８１】
力率補償回路３００が正常状態であれば、電流制御信号生成部３９０は突入電流制限部３２０に電流の流入を中断する（Ｓ３０７）。即ち、電流制御信号生成部３９０は制御信号を生成して突入電流制限部３２０内のスイッチをターンオフし、整流部３４０内のスイッチをターンオンする。
【００８２】
力率補償回路３００が正常状態であれば、交流ノイズ除去部３３０は交流のノイズを除去する（Ｓ３０９）。
【００８３】
力率補償回路３００が正常状態であれば、整流部３４０はノイズが除去された交流電圧を整流して整流された電圧を生成する（Ｓ３１１）。
【００８４】
力率補償部３５０は力率を補償された電圧を生成する（Ｓ３１３）。
【００８５】
平滑部３６０は力率補償された電圧を平滑化する（Ｓ３１５）。
【００８６】
以上、実施例で説明された特徴、構造、効果などは本発明の少なくとも一つの実施例に含まれるが、必ずしも一つの実施例にのみ限定されることはない。なお、各実施例で例示された特徴、構造、効果などは実施例が属する分野の通常の知識を有する者によって他の実施例に対しても組換え又は変形されて実施可能である。よって、このような組換えと変形に関する内容は本発明の範囲に含まれるものとして解析されるべきである。
【００８７】
これまで実施例を中心に説明したが、これは単なる例示に過ぎないものであって本発明を限定するものでなく、本発明の属する分野の通常の知識を有する者であれば本実施例の本質的な特性を逸脱しない範囲で上記に例示されていない多様な変形と応用が可能であることを理解できるはずである。例えば、実施例に具体的に示した各の構成要素は変形して実施してもよい。そして、このような変形と応用に関する差は、添付した特許請求の範囲で規定する本発明の範囲に含まれるものとして解析されるべきである。
【図１】
0005902741.tif 000003
【図２】
0005902741.tif 000004
【図３】
0005902741.tif 000005
【図４】
0005902741.tif 000006
【図５】
0005902741.tif 000007
【図６】
0005902741.tif 000008
【図７】
0005902741.tif 000009
【図８】
0005902741.tif 000010
【図９】
0005902741.tif 000011